(57)【要約】【課題】  開示のイヤホン保持具は、市販の機器をそのまま利用しつつ、収納・使用再開時の手間が少なく、収納形態に基づくコード内断線のおそれも低い状態で、未使用時、携帯音楽端末に装着したイヤホンの絡みを防止する。【解決手段】  開示のイヤホン保持具は、ベルト状の基部と、基部裏面の端部に備えられる面ファスナー雄部と、基部表面の端部に備えられ、イヤホン保持具を携帯音楽端末に巻き付けた場合、面ファスナー雄部と係合する面ファスナー雌部と、基部裏面に備えられ、イヤホン保持具を携帯音楽端末に巻き付けた場合、イヤホン保持具が携帯音楽端末上で滑り難くするための滑り止め部と、を有し、滑り止め部が、基部の短手方向に入った切り込みであって、イヤホンヘッド付近のイヤホンコードを挟み込むための切り込み部を有することを特徴とする。【選択図】図１
2013239872.tif 000002
【特許請求の範囲】
【請求項１】
裏面が携帯音楽端末を向くように巻き付けて使用し、前記携帯音楽端末にイヤホンプラグを装着させたまま、前記携帯音楽端末上にイヤホンヘッドを拘止させ、イヤホンを環状態で保持させるためのイヤホン保持具であって、
ベルト状の基部と、
前記基部裏面の端部に備えられる面ファスナー雄部と、
前記基部表面の端部に備えられ、当該イヤホン保持具を前記携帯音楽端末に巻き付けた場合、前記面ファスナー雄部と係合する面ファスナー雌部と、
前記基部裏面に備えられ、当該イヤホン保持具を前記携帯音楽端末に巻き付けた場合、当該イヤホン保持具が前記携帯音楽端末上で滑り難くするための滑り止め部と、を有し、
前記滑り止め部が、前記基部の短手方向に入った切り込みであって、前記イヤホンヘッド付近のイヤホンコードを挟み込むための切り込み部を有することを特徴とするイヤホン保持具。
【請求項２】
前記切り込み部に前記イヤホンヘッド付近のイヤホンコードを挟み込み、前記滑り止め部を前記携帯音楽端末に当接させた状態で、当該イヤホン保持具を前記携帯音楽端末に巻き付けて使用することを特徴とする請求項１に記載のイヤホン保持具。
【請求項３】
前記基部表面の中央部に、文字又は図柄を自由に記入することができる場所が設けられることを特徴とする請求項１又は２に記載のイヤホン保持具。
【請求項４】
前記基部表面の中央部に、フック状に起毛された面ファスナーが備えられることを特徴とする請求項１乃至３の何れか一に記載のイヤホン保持具。
【発明の詳細な説明】
【技術分野】
【０００１】
未使用時のイヤホンの絡みを防止する技術に関する。
【背景技術】
【０００２】
近年、携帯電話、スマートフォンなどの携帯用通信機器や携帯用音楽プレーヤー（以下、これらを総称して単に「携帯音楽端末」という。）を常時携行し、イヤホンを使って音楽を聴いたり、自己啓発をしたりする人が増えている。
【０００３】
一方で、多くの人は、携帯音楽端末を使用しないとき、イヤホンごと鞄やポケットに収納し、必要なときに取り出して使用する。そのとき、イヤホンコードが絡み合ってそれを解くのに面倒な思いをしたり、絡み合ったイヤホンコードを解き、携帯音楽端末の使用を開始するまでに長い時間が掛かる場合も多々あったりする。
そうした状況下、未使用時のイヤホンコードの絡みを防止する技術について、多数の提案がなされている（特許文献１乃至７）。
【先行技術文献】
【特許文献】
【０００４】
【特許文献１】実用新案登録第３１６２５６４号公報
【特許文献２】特開２００８−３０１４６１号公報
【特許文献３】特開２００５−２５２５７９号公報
【特許文献４】特開２０００−１８４４８５号公報
【特許文献５】特開平１１−２５２６７８号公報
【特許文献６】実開平６−５８６９３号公報
【特許文献７】実開昭６０−１０３９８９号公報
【発明の概要】
【発明が解決しようとする課題】
【０００５】
しかしながら、特許文献１に記載の技術においては、器具の製作に手間が掛かる、カバーが携帯音楽端末を覆い、当該端末にイヤホンを巻き付けるため、収納・使用再開までに手間が掛かる、イヤホンコードを携帯音楽端末に巻き付けることによる断線のおそれがあるなどの問題点が有った。
また、特許文献２に記載の技術においては、イヤホンの改良が必要であるなどの問題点が有った。
また、特許文献３に記載の技術においては、イヤホンの改良が必要である、両耳用のイヤホンで使用できないなどの問題点が有った。
また、特許文献４に記載の技術においては、イヤホンの改良が必要であるなどの問題点が有った。
【０００６】
また、特許文献５に記載の技術においては、携帯音楽端末の改良が必要である、イヤホンの改良が必要である、器具の製作に手間が掛かるなどの問題点が有った。
【０００７】
また、特許文献６に記載の技術においては、携帯音楽端末の改良が必要である、イヤホンの改良が必要である、器具の製作に手間が掛かる、両耳用のイヤホンで使用できないなどの問題点が有った。
【０００８】
また、特許文献７に記載の技術においては、イヤホンの改良が必要である、器具の製作に手間が掛かる、両耳用のイヤホンで使用できないなどの問題点が有った。
【０００９】
そこで、上記問題点に鑑み、本発明は、市販の機器をそのまま利用しつつ、収納・使用再開時の手間が少なく、収納形態に基づくコード内断線のおそれも小さい、携帯音楽端末に装着した未使用時のイヤホンの絡みを防止するイヤホン保持具を提供することを目的とする。
【課題を解決するための手段】
【００１０】
開示するイヤホン保持具の一形態は、裏面が携帯音楽端末を向くように巻き付けて使用し、前記携帯音楽端末にイヤホンプラグを装着させたまま、前記携帯音楽端末上にイヤホンヘッドを拘止させ、イヤホンを環状態で保持させるためのイヤホン保持具であって、ベルト状の基部と、前記基部裏面の端部に備えられる面ファスナー雄部と、前記基部表面の端部に備えられ、当該イヤホン保持具を前記携帯音楽端末に巻き付けた場合、前記面ファスナー雄部と係合する面ファスナー雌部と、前記基部裏面に備えられ、当該イヤホン保持具を前記携帯音楽端末に巻き付けた場合、当該イヤホン保持具が前記携帯音楽端末上で滑り難くするための滑り止め部と、を有し、前記滑り止め部が、前記基部の短手方向に入った切り込みであって、前記イヤホンヘッド付近のイヤホンコードを挟み込むための切り込み部を有することを特徴とする。
【００１１】
また、開示するイヤホン保持具の一形態は、上記構成に加え、前記切り込み部に前記イヤホンヘッド付近のイヤホンコードを挟み込み、前記滑り止め部を前記携帯音楽端末に当接させた状態で、当該イヤホン保持具を前記携帯音楽端末に巻き付けて使用することを特徴とする。
【００１２】
また、開示するイヤホン保持具の一形態は、上記構成に加え、前記基部表面の中央部に、文字又は図柄を自由に記入することができる場所が設けられることを特徴とする。
また、開示するイヤホン保持具の一形態は、上記構成に加え、前記基部表面の中央部に、フック状に起毛された面ファスナーが備えられることを特徴とする。
【発明の効果】
【００１３】
開示するイヤホン保持具は、市販の機器をそのまま利用しつつ、収納・使用再開時の手間が少なく、収納形態に基づくコード内断線のおそれも低い状態で、未使用時、携帯音楽端末に装着したイヤホンの絡みを防止する。
【図面の簡単な説明】
【００１４】
【図１】本実施の形態に係るイヤホン保持具の使用状態を示す図である。
【図２】本実施の形態に係るイヤホン保持具の使用状態を示す図である。
【図３】本実施の形態に係るイヤホン保持具の側面図である。
【図４】本実施の形態に係るイヤホン保持具の基部裏面を示す図である。
【図５】本実施の形態に係る切り込み部の使用状態を示す図である。
【図６】本実施の形態に係るイヤホン保持具の基部表面を示す図である。
【発明を実施するための形態】
【００１５】
図面を参照しながら、本発明を実施するための形態について説明する。
（携帯音楽端末に装着したイヤホンが絡まる原因）
【００１６】
多くの人は、携帯音楽端末３を使用しないとき、イヤホン５ごと鞄やポケットに収納し、必要なときに取り出して使用する。そのとき、イヤホンコード９が絡み合ってそれを解くのに面倒な思いをしたり、絡み合ったイヤホンコード９を解き、携帯音楽端末３の使用を開始するまでに長い時間が掛かる場合も多々あったりする。
【００１７】
上記のように、イヤホン５が絡み合う原因は、イヤホンヘッド７が二股に分かれていることに加え、イヤホンコード９が長いため、収納時にイヤホンヘッド７が移動自在となっていることに有るものと考える。
【００１８】
そこで、本実施の形態に係るイヤホン保持具１は、収納時のイヤホンヘッド７の移動を制限することによって、未使用時の携帯音楽端末３に装着したイヤホン５が絡み合うことを防止するものである。
（本実施の形態に係るイヤホン保持具の構造）
図１乃至図６を用いて、本実施の形態に係るイヤホン保持具１について説明する。図１及び図２は、イヤホン保持具１の使用状態を示す図である。
【００１９】
図１又は図２で示すように、イヤホン保持具１は、携帯音楽端末３に巻き付けて使用するベルト状の器具である。また、携帯音楽端末３が備えるイヤホンジャックにイヤホンプラグ１１を挿し込んだ状態で、イヤホン保持具１は使用する。そして、イヤホン保持具１は、イヤホンヘッド７を携帯音楽端末３に拘止させた状態を保持させ、また、イヤホン保持具１は、イヤホンコード９（イヤホン５）にループ形状を形成させ、その状態を保持させる。
【００２０】
こうすることによって、イヤホン保持具１は、収納時のイヤホンヘッド７の移動を制限するため、未使用時の携帯音楽端末３に装着したイヤホン５が絡み合うことを防止することができる。なお、イヤホン保持具１は、既存の携帯音楽端末３及びイヤホン５を使用することができるため、これら器具を新たに製作する手間を省くことができる。また、イヤホン保持具１は、イヤホン５の先端部を携帯音楽端末３に拘止させるだけの操作なので、収納時・使用再開時の手間が小さい。さらに、イヤホン保持具１は、イヤホン５を携帯音楽端末３に巻き付けることを要しないので、イヤホンコード９が断線するおそれを大幅に小さくすることができる。
【００２１】
次に、図３乃至図６を用いて、イヤホン保持具１の具体的な構成について説明する。図３はイヤホン保持具１の側面図、図４はイヤホン保持具１の裏面図、図５はイヤホン保持具１にイヤホンコード９を狭持させた状態図、図６はイヤホン保持具１の表面図である。
【００２２】
図３等で示すように、イヤホン保持具１は、基部１３、面ファスナー雄部１９、面ファスナー雌部２１、滑り止め部２３、切り込み部２５、デザイン部２７を有する。
【００２３】
基部１３は、ベルト状の部材であり、イヤホン保持具１の土台となる部分である。イヤホン保持具１は、携帯音楽端末３に巻き付けて使用するため、基部１３は、手で容易に曲げることができる軟らかい材質であることが好適である。なお、イヤホン保持具１を携帯音楽端末３の周囲に巻き付ける場合、基部１３の裏面１７が携帯音楽端末３側に向くように配置させる。
【００２４】
図３及び図４で示すように、面ファスナー雄部１９は、イヤホン保持具１を携帯音楽端末３の周囲に巻き付けた状態を保持させるための面ファスナー機構の雄部である。面ファスナー雄部１９は、基部裏面１７の端部に配置される。
【００２５】
図３及び図６で示すように、面ファスナー雌部２１は、イヤホン保持具１を携帯音楽端末３の周囲に巻き付けた状態を保持させるための面ファスナー機構の雌部である。面ファスナー雌部２１は、基部表面１５の端部に配置される。
ここで、面ファスナー雄部１９及び面ファスナー雌部２１は、一方がフック状に起毛された形態であれば、他方がループ状に起毛された形態となる関係である。
【００２６】
図３及び図４で示すように、滑り止め部２３は、基部裏面１７に配置され、イヤホン保持具１が携帯音楽端末３に巻き付けられた場合、携帯音楽端末３に着接する部位である。また、滑り止め部２３は、携帯音楽端末３に着接した場合、携帯音楽端末３上でイヤホン保持具１が滑らないようにする滑り止め機構である。滑り止め部２３は、ゴムのように弾力性・粘着性のある材質であることが好適である。
【００２７】
図３及び図４で示すように、切り込み部２５は、滑り止め部２３に入れられた切れ込みであって、基部１３（イヤホン保持具１）の短手方向に入れられた切れ込みである。図５で示すように、切り込み部２５は、イヤホンヘッド７の近傍にある２本のイヤホンコード９を挟み込むための機構である。このように、イヤホン保持具１は、イヤホンコード９を切り込み部２５に固定し、滑り止め部２３を携帯音楽端末３上に固定する。そのため、イヤホン保持具１は、収納時のイヤホンヘッド７の移動を制限し、未使用時の携帯音楽端末３に装着したイヤホン５が絡み合うことを防止する。
【００２８】
図６で示すように、デザイン部２７は、基部表面１５の中央部に備えられ、自由に文字や図柄を記入することができる部位である。図６で示すように、例えば、デザイン部２７に、携帯音楽端末３の所有者の連絡先を記入しておけば、万が一紛失した場合であっても、発見される可能性が高まる。また、デザイン部２７に、企業広告などを記入すれば、イヤホン保持具１をノベルティグッズとして利用することもできる。
【００２９】
なお、基部表面１５の中央部に、フック状に起毛された面ファスナー機構を配置すれば、携帯音楽端末３の使用者の服などに係着させることができ、携帯音楽端末３の紛失防止に効果的である。
（本実施の形態に係るイヤホン保持具の使用方法）
【００３０】
図１、図２及び図５を用いて、イヤホン保持具１の使用方法について説明する。図２及び図５で示すように、第１の手順として、イヤホン保持具１の使用者２９は、携帯音楽端末３のイヤホンジャックにイヤホンプラグ１１を差し込んだまま、イヤホンヘッド７付近のイヤホンコード９を切り込み部２５に挟み込ませる。
【００３１】
図２で示すように、第２の手順として、使用者２９は、イヤホンヘッド７を携帯音楽端末３のイヤホンジャックの方に向けた状態で、滑り止め部２３を携帯音楽端末３上に圧着させる。このとき、基部裏面１７が携帯音楽端末３側を向き、基部表面１５は外側を向いている。
【００３２】
図１及び図２で示すように、第３の手順として、使用者２９は、基部１３を携帯音楽端末３に巻き付けた後、面ファスナー雄部１９と面ファスナー雌部２１を係合させて、イヤホン保持具１を携帯音楽端末３の周囲に固定する。このとき、イヤホン５は、ループ形状になっている。
第４の手順として、使用者２９は、携帯音楽端末３及びイヤホン５を鞄や衣服に収納する。
【００３３】
第５の手順として、使用者２９は、携帯音楽端末３及びイヤホン５の使用を再開する場合、これらを収納場所から取り出し、面ファスナー雄部１９及び面ファスナー雌部２１の係合状態を解き、携帯音楽端末３及びイヤホン５の使用を再開する。携帯音楽端末３及びイヤホン５が所定場所に収納されている間、イヤホン５のループ形状が保持されているため、イヤホン５は縺れておらず、使用者２９は、スムーズに携帯音楽端末３の使用を再開することができる。
（総括）
【００３４】
イヤホン保持具１は、イヤホンヘッド７を携帯音楽端末３上に固定することによって、未使用の間、携帯音楽端末３に装着したイヤホン５のループ形状を保持させることができるため、イヤホン５は縺れず、使用再開時の使用者２９の手間を省くことができる。
【００３５】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３６】
１    イヤホン保持具
３    携帯音楽端末
５    イヤホン
７    イヤホンヘッド
９    イヤホンコード
１１  イヤホンプラグ
１３  基部
１５  基部表面
１７  基部裏面
１９  面ファスナー雄部
２１  面ファスナー雌部
２３  滑り止め部
２５  切り込み部
２７  デザイン部
２９  イヤホン保持具１の使用者
【図１】
2013239872.tif 000003
【図２】
2013239872.tif 000004
【図３】
2013239872.tif 000005
【図４】
2013239872.tif 000006
【図５】
2013239872.tif 000007
【図６】
2013239872.tif 000008